(57)【要約】【課題】  無垢材を使用したフローリングボードであって、無垢材が本来有する質感、高級感、ボリューム感等を最大限に表現可能で、機能性や安全性等も同時に確保したフローリングボードとその製造方法を提供する。【解決手段】  所定の長さ、幅、厚みを有する断面矩形状の板材２の、上面の四周に沿って、側縁側が低くなるようにして所要幅の傾斜面２ａを形成したのち、前記傾斜面２ａの上部の角部Ｘと下部の角部Ｙに、それぞれ丸みを形成してフローリングボード１を形成する。【選択図】      図１
2007262801.tif 000002
【特許請求の範囲】
【請求項１】
所定の長さ、幅、厚みを有する断面矩形状の板材において、
前記板材の上面の四周に沿って、側縁側が低くなるようにして所要幅の傾斜面を形成するとともに、傾斜面の上部と下部の角部に丸みを形成させたこと
を特徴とするフローリングボード。
【請求項２】
前記傾斜面に形成する上部角部は、
半径が長さ２０ｍｍ以上の丸みであること
を特徴とする請求項１に記載のフローリングボード。
【請求項３】
前記傾斜面に形成する下部角部は、
半径が長さ０．２ｍｍ以上の丸みであること
を特徴とする請求項１又は２に記載のフローリングボード。
【請求項４】
前記板材は、
少なくとも長手方向に沿った一方の側面に、連結用の突条が形成されていること
を特徴とする請求項１〜３のいずれかに記載のフローリングボード。
【請求項５】
前記板材は、
少なくとも長手方向に沿った他方の側面に、前記突条と係合する係合溝が形成されていること
を特徴とする請求項４に記載のフローリングボード。
【請求項６】
前記板材は、
無垢材であること
を特徴とする請求項１〜５のいずれかに記載のフローリングボード。
【請求項７】
所定の長さ、幅、厚みを有する断面矩形状の板材の、上面の四周に沿って、側縁側が低くなるようにして所要幅の傾斜面を形成したのち、前記傾斜面の上部と下部の角部に、それぞれ丸みを形成すること
を特徴とするフローリングボードの製造方法。
【発明の詳細な説明】
【技術分野】
【０００１】
この発明は、一戸建て住宅やマンション等の共同住宅又は店舗、もしくは商業施設、オフィス等における床面に敷設されるフローリングボードと、このフローリングボードの製造方法に関するものである。
【背景技術】
【０００２】
各種の建築物の床面に使用されるフローリングボードは、複合材を用いたものと、無垢材を用いたものとの２種類に大別されるが、複合材と無垢材のどちらを用いてフローリング（床もしくは床張り）を行なっても一長一短があって、どちらが優れているとは一概に言えない。しかしながら、複合材は接着剤等の化学物質を多用せざるを得ないため、シックハウス対策には、無垢材を用いた方が無難で、強度面においても、無垢材の方が優れているとされている。
【０００３】
しかしながら、近年では、複合材を用いたフローリングボードは、強度面において無垢材を用いたものと比較しても何ら遜色なく、安価で市販されている。一方で、無垢材は、湿度が高いと膨張し、乾燥すると収縮する特性があるので、日本のように四季のある国では、無垢材からなる木製品全般は、きちんと手入れをしていないと、ひび割れや反りが生じてしまうおそれがある。したがって、特別な手入れを必要とせず、しかも安価な複合材を用いたフローリングボードが好まれる傾向にある。
【０００４】
かかる特長を有する無垢材を用いたフローリングボードにおいて、反りを生じさせないようにするための発明が、例えば、特開２００２−２１３１１号公報（特許文献１）に開示されている。
この特許文献１に開示されているフローリングブロックは、少なくとも３枚のフローリングボードを方形に接合したもので、有害物質が少ないこと、耐久性が高いこと、味わい深いこと、防音性能に優れていること、良好な歩行感、転等時の安全性が高いこと、などといった無垢材の特性を生かし、かつ、無垢材の欠点であるひび割れや反りを生じさせないようにするために、無垢材からなる複数枚の表面板を互いに隙間をあけつつ水平に並べてなる表面層と、この表面層の裏面に積層された発泡プラスチックからなる裏面層と、前記複数枚の表面板を連結する連結材とを備えてなることを特徴とするものである。
【０００５】
前記特許文献１では、上記構成を採用することによって、有害物質が室内に放散されず、高耐久性で、味わい深く、また、含水率変化や温度変化により各表面板が伸縮したとしても、表面板同士が干渉することはなく、表面板にひび割れや反り等が発生しないフローリングブロックを実現できるとしている。
【０００６】
また、特開２００３−２７６００７号公報（特許文献２）には、湿度や温度の変化が激しい環境で使用される木製品の反り等の歪みを抑えるために、原木である樹木の導管を切断する発明、具体的には、無垢材の原木である樹木の導管を穿孔により少なくとも部分的に切断することにより、無垢材が反りを維持または保持する力を実質的に失い、反りの発生が抑制、防止される、という技術が開示されている。
【０００７】
さらに、実開平７−４６７１号公報（特許文献３）には、板材が経時変化して生じる反りを防止するようにした波反り防止用フローリング材に関し、板材の側面部に貫通孔を設け、この貫通孔に金属製等の強度のある管、あるいは棒状補強材を挿入することにより、反りを防止して敷設施工を容易にすることができるようにする技術が記載されている。
【０００８】
さらにまた、フローリングボードの形状に関しては、複合材、無垢材のどちらを用いても代わり映えすることはなく、フローリングボード同士が隣接する部分に溝を有するタイプ、もしくはフルフラットな面の表面に溝や凹凸が無いタイプのどちらかである。
【０００９】
上記溝を有するタイプの場合は、一般的に表面は平らで、角の部分を、長さ１ｍｍ〜１．５ｍｍ、角度４５°で面取り加工のみを施したフローリングボードを、当該フローリングボードを連接させることで断面Ｖ字形状の溝を形成させているものが大半で、フローリングボードの表面が平らで、角丸め加工のみを施し、フローリング等の面に断面Ｒ字形状の溝を有する商品も市販されている。かかる断面がＶ字およびＲ字形状の溝を有する構造のフローリング面は、溝の存在により立体感が強調され、木の有する質感や木目の美しさを強調することが可能である。
【００１０】
一方、フルフラットなフローリング面の場合は、フローリングボード同士の接合部分に凹凸が生じないようにフローリングボードを加工、連接させているので、例えば、キャスター付の家具等を動かすことが多い部屋や、バリアフリー化した部屋によく用いられている。
【特許文献１】特開２００２−０２１３１１号公報（特許請求の範囲）
【特許文献２】特開２００３−２７６００７号公報（特許請求の範囲）
【特許文献３】実開平  ７−４６７１号公報（実用新案登録請求の範囲）
【発明の開示】
【発明が解決しようとする課題】
【００１１】
特許文献１に記載の発明は、無垢材からなる複数枚の表面板を互いに隙間を空けつつ水平に並べ、連結材によって間接的に連結されているので、反り等の発生は抑制できるが、無垢材の特性である質感等を、さらに活かすための工夫は何ら施されていない。
【００１２】
また、特許文献２に記載の発明は、原木である樹木の導管、つまり樹木の年輪に穿孔するため、孔をあける必要がある。また、孔をあけた部分には、その孔を塞ぐための処理を施さなければ、その孔にゴミや埃が堆積してしまう虞がある。実施例においては、孔に防虫剤を注入している。
しかしながら、人が接触する床板表面に近い部分に防虫剤が存在することは、好ましいことではない。また、如何に優れた防虫剤であっても、防虫効果は経時変化に従って薄れていき、いずれその効果は消失する。かかる場合において、防虫剤を再注入するということは、床板を再度剥がさねばならず、特段の手間とコストを必要とする。なお、この発明においても、無垢材の質感等をさらに向上させることはなんら意識されていない。
【００１３】
さらに、特許文献３に記載の考案は、板材の側面部に貫通孔を設け、その貫通孔に補強材を挿入するので、反りの防止には効果的であると考えられるが、木材が有する柔らかさが失われるうえに、孔を開けなければならず、作業工程が増えてしまうといった煩わしさがある。
【００１４】
また、フローリングに際し、フローリングボードを連接させてフローリング面を形成したとき、その間にＶ字溝やＲ字溝ができるように、フローリングボードの表面端部を面取りしたもの、もしくはコーナー部を弧状に形成したフローリングボードも市販されているが、Ｖ字溝やＲ字溝の幅は、両者とも表面部においては距離が長さ２ｍｍ〜３ｍｍで、当然のことであるが溝底に行くに従ってより狭くなっているので、溝に入り込んだゴミや埃などは、取り出し難く、掃除に手間がかかる。
【００１５】
特に、Ｖ字溝の場合は、溝の幅が狭い上に、傾斜角が角度４５°付近で設けられているため、直線的な構成となり、無垢材のボリューム感や質感を十分に表現することができない。また、Ｒ字溝の場合も、溝の幅の距離はＶ字溝の場合と大差ないのが現状である。したがって、Ｖ字溝の場合でもＲ字溝の場合でも、最低限の質感、ボリューム感、存在感等しか得ることができない。
【００１６】
さらに、乳幼児にとって、フローリング面に鋭角的なＶ字溝が存在すると、たとえ溝の幅の距離が長さ２ｍｍ程度と狭くても、飛び跳ねて遊んでいるうちに、溝の角で擦ってけがをする可能性も否定できず、Ｖ字溝だと、角を丸めていないので、無垢材であっても溝の角が欠けたりして、木片などが生じたりするという事態も起こり得る。
【００１７】
このように、従来の溝を有するフローリング面は、木の特徴を表現できるが、最大限発揮できるものではない。また、機能性において解決すべき課題を有し、フルフラットなフローリング面だと、木の存在感などが十分に表現されないため、木を用いたメリットが薄れてしまう。
【００１８】
この発明はかかる現状に鑑み、無垢材を用いたフローリングボードにおいて、無垢材の特徴である質感やボリューム感を最大限に活かし、かつ敷設したフローリング面が、安全面や機能面にも配慮されているフローリングボードと、その製造方法を提供せんとするものである。
【課題を解決するための手段】
【００１９】
前記の目的を達成するために、この発明の請求項１に記載の発明は、
所定の長さ、幅、厚みを有する断面矩形状の板材において、
前記板材の上面の四周に沿って、側縁側が低くなるようにして所要幅の傾斜面を形成するとともに、傾斜面の上部と下部の角部に丸みを形成させたこと
を特徴とするフローリングボードである。
【００２０】
また、この発明の請求項２に記載の発明は、
請求項１に記載のフローリングボードにおいて、
前記傾斜面に形成する上部角部は、
半径が長さ２０ｍｍ以上の丸みであること
を特徴とするものである。
【００２１】
また、この発明の請求項３に記載の発明は、
請求項１又は２に記載のフローリングボードにおいて、
前記傾斜面に形成する下部角部は、
半径が長さ０．２ｍｍ以上の丸みであること
を特徴とするものである。
【００２２】
また、この発明の請求項４に記載の発明は、
請求項１〜３のいずれかに記載のフローリングボードにおいて、
前記板材は、
少なくとも長手方向に沿った一方の側面に、連結用の突条が形成されていること
を特徴とするものである。
【００２３】
また、この発明の請求項５に記載の発明は、
請求項４に記載のフローリングボードにおいて、
前記板材は、
少なくとも長手方向に沿った他方の側面に、前記突条と係合する係合溝が形成されていること
を特徴とするものである。
【００２４】
また、この発明の請求項６に記載の発明は、
請求項１〜５のいずれかに記載のフローリングボードにおいて、
前記板材は、
無垢材であること
を特徴とするものである。
【００２５】
また、この発明の請求項７に記載の発明は、
所定の長さ、幅、厚みを有する断面矩形状の板材の、上面の四周に沿って、側縁側が低くなるようにして所要幅の傾斜面を形成したのち、前記傾斜面の上部と下部の角部に、それぞれ丸みを形成すること
を特徴とするフローリングボードの製造方法である。
【発明の効果】
【００２６】
この発明にかかるフローリングボードは、無垢材の板が持っている厚みを活かし、フローリングボードの上面部の四周に沿って所要幅で、側縁側が低くなるようにして傾斜面を形成し、かつ前記傾斜面の上部と下部の角部にそれぞれ丸みを形成しているので、無垢材の質感やボリューム感をより発揮することができ、木目の美しさも強調することが可能となる。したがって、この発明にかかるフローリングボードを用いてフローリングを実施すると得られたフローリングは、木の質感、ボリューム感、高級感をより感じ取ることが可能となる。
【００２７】
さらに、フローリング面を構成した際にできる溝は、幅が広く、しかも角部を有さないため、溝内部の掃除が容易で、しかも、溝が有する危険性を極力排除したものである。また、無垢材の特性を最大限に発揮させるため、無駄な加工は行なっていないため、何年か後に床面をリフォームする際、当該フローリングボードを古材として再利用することが容易となる。
【００２８】
特に、この発明にかかるフローリングボードを用いたフローリング面は、従来不可能であった、無垢材の特徴を最大限に活かし、同時に多用な機能を有し、かつ環境にも優しいものである。
【００２９】
また、この発明にかかるフローリングボードの製造方法は、前記の特徴を有するフローリングボードを簡単かつ容易に、しかも安価に量産することができる。
【発明を実施するための最良の形態】
【００３０】
以下、この発明にかかるフローリングボードおよびその製造法を、添付の図面を参照しながら詳細に説明するが、この発明は図示した実施例に限定されるものではなく、この発明の要旨を変更しない範囲内において種々変更を加えることが可能なものである。
【００３１】
この発明にかかるフローリングボード１は、図１で明らかなように、長さ約１８００ｍｍ、幅７５ｍｍ、高さ１５ｍｍのタモの無垢材からなる板材２の、上面部の四周に沿って所要の幅で、側縁側に向かって低くなるよう傾斜面２ａが形成されるとともに、形成された傾斜面２ａの上面との連設部、すなわち上部の角部Ｘと、側縁部との連設部、すなわち下部の角部Ｙとが、それぞれ弧状（丸）に形成されたものである。
また、少なくとも長手方向に沿った側縁部の一方側に、平行に敷設されるフローリングボード１同士を連結するための突条３が、他方の側縁部には、前記突条３を係合させるための係合溝４が全長にわたって形成されたものである。
なお、図１の例においては、板材２の短手側の側縁部にも突条３ａが形成されているので、この突条３ａを嵌めこむ係合溝（図示せず）も、前記側縁部と相対する短手側の側縁部にも形成されているものである。
【００３２】
より詳細に説明すると、この発明のフローリングボード１は、図２に示すように、板材２の上面の四周を、Ｘ−Ｙの幅、実施例においては６ｍｍ幅で、側縁部に至るに従って低くなるよう面取り加工して傾斜面２ａを形成するとともに、上部の角部Ｘを半径約４０ｍｍで、角部Ｙを、半径約０．５ｍｍでさらに面取りして、円弧状としたものである。
したがって、この発明にかかるフローリングボード１は、表面に顕出する部位には角部が存在せず、断面視略ラウンド状に形成されている。
【００３３】
なお、前記の実施例においては、タモの無垢材を使用しているが、原木の種類に制限はなく、針葉樹木でも広葉樹木でも、無垢材であれば特段の制限はない。
【００３４】
このように形成されたフローリングボード１は、図３に示すように、長手方向の側縁部に一体的に突出形成された突条３を、隣接するフローリングボード１の係合溝４内に差し込んで平行に連結しながら、構築物の床面上に敷設するもので、図示しないが、あらかじめフローリングボード１の裏面に、滑り止め用に凹凸部を設けておけば、フローリングボード１を連接する際、ずれたり外れたりすることを防止できる。
また、あらかじめ所定の複数のフローリングボード１を使用して、フローリングブロックを構成しておけば、所定面積の床面を簡単迅速に形成可能となる。
【００３５】
特に、この発明においては、フローリングボード１同士を繋ぎ合わせると、隣接する側縁部間に、深さが浅くかつ比較的幅の広い凹部Ｚが形成されるので、各板材２の立体感がより強調され、無垢材が本来有する質感、高級感、ボリューム感をより感じ取ることが可能となる。
【００３６】
加えて、凹部Ｚは、角度約１２°という非常に緩やかな角度で面取りをして形成された斜面Ｘに、さらに各角部Ｙの角を丸めているので、キャスターつきの家具であっても床面上を容易に移動させることができる。
【産業上の利用可能性】
【００３７】
この発明にかかるフローリングボードは、無垢材が本来有する質感、ボリューム感、高級感等をさらに高めて表現することが可能であるので、無垢材の特徴をより醸し出した空間を欲する建築物内の腰板や天井板として使用することが可能である。
【図面の簡単な説明】
【００３８】
【図１】この発明にかかるフローリングボードを示す一部切欠き斜視図である。
【図２】この発明の要部を示す断面拡大図である。
【図３】この発明の一実施例を示す一部切欠き斜視図である。
【図４】図３における要部の拡大図である。
【符号の説明】
【００３９】
１    フローリングボード
２    板材
３    突条
４    係合溝
Ｘ    板材の上部角部
Ｙ    板材の下部角部
Ｚ    フローリングボード間に形成される凹部
【図１】
2007262801.tif 000003
【図２】
2007262801.tif 000004
【図３】
2007262801.tif 000005
【図４】
2007262801.tif 000006